(57)【要約】【課題】  抜歯に当って、隣合う歯に影響されたり影響を与えたりすることもなく、歯を捻ることが出来る抜歯用具を提供する。【解決手段】  抜歯用具２は歯内にねじ込むためのネジ部２０とハンドル部２１とから成り、ハンドル部２１の頂部に極めて柔軟で屈曲自在な棒状体２４を備えている。ハンドル部２１を以てネジ部２０を歯の中心部の穴にねじ込み、ネジ部２０が歯にしっかりと食い込んだらハンドル部２１を以て引き抜くようにする。この際には歯根が捻られて歯槽骨から浮いて来るために抜歯は比較的容易であり且つ安全である。また抜歯を行う歯にのみ抜歯の力が加わるので隣合う歯に影響されたり影響を与えたりすることが少ない。ハンドル部２１を摘まむ指が滑っても棒状体２４を掴むので、抜歯用具２を取り落とすことが少ない。【選択図】図２
0003202678.tif 000002
【実用新案登録請求の範囲】
【請求項１】
歯内にねじ込むためのネジ部とハンドル部とから成り、前記ハンドル部に滑り止め部を備えていることを特徴とする抜歯用具。
【請求項２】
歯内にねじ込むためのネジ部とハンドル部とから成り、前記ハンドル部に滑り止め部を備えていると共に前記ハンドル部に落下防止具を備えていることを特徴とする抜歯用具。
【請求項３】
前記滑り止め部が前記ハンドル部に形成された孔部または掛止部である請求項１または請求項２に記載の抜歯用具。
【請求項４】
前記滑り止め部が前記ネジ部と前記ハンドル部との間に形成された段部である請求項１に記載の抜歯用具。
【請求項５】
前記ハンドル部の頂部にドライバーの先端部に係合する溝部が形成されている請求項１に記載の抜歯用具。
【請求項６】
前記落下防止具が柔軟で屈曲自在な棒状体である請求項２に記載の抜歯用具。
【考案の詳細な説明】
【技術分野】
【０００１】  本考案は、抜歯を安全にかつ容易に行うことが出来て、患者の負担が軽くなるような抜歯用具に関する。
【背景技術】
【０００２】  従来の歯科治療に於いて抜歯を行う場合には、歯と歯槽骨との間で歯根の周りにある歯根膜の部位に梃子（ヘーベル）を挿入して歯を脱臼させてから、歯科用の鉗子（ペンチ）で歯を挟んで抜き取るのが一般的である。【０００３】  なお上述の鉗子の実例は特開２００２−２９１７５３号に、また梃子の実例は特開２００９−１１９０９５号に詳述されている。
【先行技術文献】
【特許文献】
【０００４】
【特許文献１】特開２００２−２９１７５３号（図１）
【特許文献２】特開２００９−１１９０９５号（図１５）
【考案の概要】
【考案が解決しようとする課題】
【０００５】  しかしながら梃子で歯をこじる際に誤って歯を押し込むようなことが起ると、これが原因で神経を痛めたり血管を破損して出血が多くなったり、歯槽骨を陥没させてしまうような場合があり問題となっている。そこでこのような問題が生じにくいようにして抜歯がもっと安全に且つ容易に行えるようにならないだろうかと言うのが本考案の課題である。
【課題を解決するための手段】
【０００６】  上記課題の解決に先立ち当考案者は、歯根は捻る力に弱く、捻ると比較的容易に歯槽骨から浮かせることが出来るため、これを引き抜くようにすれば簡単に抜歯を行うことが可能であると言う知見を得た。従って抜歯に当って梃子を用いることなく、隣合う歯に影響されたり影響を与えたりすることもなく、歯を捻ることが出来るような抜歯用具であれば良いことになる。【０００７】  そこで本考案では、歯内にねじ込むためのネジ部とハンドル部とから成り、前記ハンドル部に滑り止め部を備えている抜歯用具を提供する。また更に前記ハンドル部に落下防止具を備えていることを特徴とする抜歯用具を提供する。【０００８】  この使用法と作用は次のようである。ハンドル部を以てネジ部を歯の中心部の穴にねじ込むと、ネジ部は歯にしっかりと食い込むので、ハンドル部を指で摘むなり鉗子の顎部で挟むなりして引き抜く。この際に歯根が捻られて歯槽骨から浮いて来るために、抜歯は比較的容易であり且つ安全である。また抜歯を行う歯にのみ抜歯の力が加わるので、隣合う歯に影響されたり、影響を与えたりすることが少ない。【０００９】  なおハンドル部に滑り止め部があることによって、指で摘んだり鉗子で挟んで引く力をネジ部すなわち歯に効果的に及ぼすことが出来る。【００１０】  一方、口腔内で使用する抜歯用具であるから、不本意にも指先が滑り止め部から滑って抜歯用具を取り落とすことがある。これは拾えば問題ないのであるが、これを良しとしないのであれば落下防止具が役に立つ。これがあることにより、手が滑るようなことがあっても抜歯用具を取り落とすことが少なくなる。落下防止具の一例として、指に巻き付ける紐や、親指と人差し指との間に通す紐や、後述する柔軟で屈曲自在な棒状体を上げる。【００１１】  次に、前記滑り止め部が前記ハンドル部に形成された孔部または掛止部であるものとしても良い。この孔部や掛止部に鉗子や鈎具の先をしっかりと掛けることが出来る。【００１２】  また前記滑り止め部が前記ネジ部と前記ハンドル部との間に形成された段部であるものとしても良い。この段部に指や鉗子や鈎具の先をしっかりと掛けることが可能である。前記ハンドル部の前記ネジ部の側とは反対の側をＬ字形やＴ字状等に形成したものは前記段部と考えても良く、或いは前記掛止部と考えることも出来る。【００１３】  また前記ハンドル部の頂部にドライバーの先端部に係合する溝部が形成されてものとしても良い。この溝部はこれに小さなドライバー等を係合させて前記ネジ部を歯にねじ込むことが出来るようにするための構成である。【００１４】  また前記落下防止具が柔軟で屈曲自在な棒状体であるものとしても良い。この棒状体を親指と人差し指との間に通しておけば、落下防止具を摘んでいる親指と人差し指とが不本意にも滑って抜歯用具を取り落とすようなことがあったとしても、指先が反射的に反応して親指と人差し指との間に通していた棒状体を素早く掴むため、抜歯用具を喉の方に取り落とすことが少なくなる。【００１５】  なお、前記滑り止め部が前記ハンドル部の表面に形成された凹部または凸部であるものとしても良い。この凹部や凸部がグリップ性能を高める働きを担う。また前記ネジ部はその先端部のネジ山のピッ���の方が他の部位のピッチよりも小さく形成されているものとしても良い。ネジ山のピッチが小さい先端部で歯への取り掛かりを付け、これよりもピッチの大きな部位で歯に効率良くしっかりと食い込むのである。また前記ハンドル部の頂部に緩衝部が設けられているものとしても良い。緩衝部には、例えばシリコンゴムの半球体が用いられる。これにより前記ハンドル部の端部が口腔内の肉などに当るようなことがあってもより安心なものとなる。
【考案の効果】
【００１６】  本考案の抜歯用具によれば歯の穴にしっかりと食い込ませて引くだけで抜歯が可能である。従って施術がより安全でより容易に行えると言う効果を奏する。落下防止具を備えたものでは、手が滑るようなことがあっても抜歯用具を取り落とすことが少ないと言う利点がある。
【図面の簡単な説明】
【００１７】
【図１】第１実施例の説明図である。
【図２】第２実施例の説明図である。
【図３】第３実施例の説明図である。
【図４】第４実施例の説明図である。
【考案を実施するための形態】
【００１８】  以下本考案の４種類の実施例を図１〜図４を参照しつつ説明するが、本考案はこれ等の実施例に限定されるものではない。
【実施例１】
【００１９】  本実施形態の抜歯用具１は、図１で表すように、歯内にねじ込むためのネジ部１０と、ハンドル部１１とから成り、このハンドル部１１に滑り止めの凸条部１２を設けたものである。これ等のネジ部１０とハンドル部１１とは、回転中心軸としての軸部１３を介して設けられており、軸部１３とハンドル部１１との間には段部１４が形成されている。なおこの実施例ではネジ部１０は右回転によって歯根に食い込むように設けられている。即ちこのネジ部１０は切削用ではなくねじ込み用なのである。このネジ部１０の素材の選択は任意であるが、ここではニッケル−チタン合金を用いている。またハンドル部１１の滑り止め部に関して、凸条部１２の代わりに凹条部としたり、凸条部と凹条部とを混在させたりしても良い。あるいは梵鐘にある乳のような丸い凸部をたくさん配設するようにしても良い。【００２０】  この使用法であるが、前記ハンドル部１１を親指と人差し指や中指とで摘んで虫歯の根管に差し入れ、摘んだ指でハンドル部１１を矢線で示すように右回転させるようにする。この際にハンドル部１１には滑り止めの凸条部１２が設けられているため、唾液などによって指が滑るようなことが少ない。こうしてネジ部１０をしっかりと歯根に食い込ませるようにするのであるが、この際に虫歯に掛かる捩りによって虫歯が浮いて来ている。そこで次にハンドル部１１を強く指で摘むなり鉗子の顎部で挟むなりして、歯を抜く方向に引くようにすると容易に抜歯される。滑り止めの凸条部１２はこの際にも役立つ。この一連の治療は安全である。なお鉗子等を前記段部１４に掛けて歯を引くことでも抜歯が可能である。【００２１】  ところで上述したようにネジ部１０を虫歯の根管に、容易には抜けないようにしっかりとねじ込むのであるが、場合によっては歯が割れることがある。しかしながら割れた歯は案外取り易いものであるから、これでも問題はない。
【実施例２】
【００２２】  本実施例の抜歯用具２は、図２で表すように、歯内にねじ込むためのネジ部２０とハンドル部２１とを回転中心軸としての軸部２２で接続して成るものであるが、この軸部２２とハンドル部２１とでＴ字形状を呈している。このＴ字の脇の部分は段部２３となっており、このＴ字形状の軸部２２とハンドル部２１とを摘んで使用することになるが、この部位が正に滑り止め部なのである。またハンドル部２１の頂部には、極めて柔軟で屈曲自在な合成樹脂製の棒状体２４が取り付けられている。【００２３】  本実施形態の抜歯用具２によれば恰もコルクポーラーのような使用方法で抜歯を行うことが出来るため、抜歯が安全で容易である。また鉗子等を前記段部２３に掛けての抜歯が可能となっている。【００２４】  更に本実施例の抜歯用具２は、ハンドル部２１の頂部に極めて柔軟で屈曲自在な棒状体２４を備えている。この棒状体２４を、ハンドル部２１を親指と人差し指や中指で摘んで虫歯の根管に差し入れる際に、親指と人差し指や中指との間に通しておく。すると親指と人差し指や中指とで形作られる円の中を棒状体２４が通って掌の方に湾曲しつつ、ネジ部２０が右回転するのに合わせて棒状体２４も右回転するので、棒状体２４の存在は作業上の抵抗にはならない。そればかりか、指が滑って不本意にも抜歯用具２を取り落とすようなことがあったとしても、指先が反射的に反応して上記円の中に通してあった棒状体２４を素早く掴むため、抜歯用具２を喉の方に取り落とすことが少なくなる効果を奏する。
【実施例３】
【００２５】  次に、図３で表した本実施例の抜歯用具３は、歯内にねじ込むためのネジ部３０とハンドル部３１とから成り、このハンドル部３１は傘の持ち手の如き形状を呈して掛止部３２を備えると共に、上述した実施形態に於ける軸部に当る部位に掛止孔３３が開孔されているものである。掛止部３２も掛止孔３３も共に請求項３の発明に係るものである。【００２６】  本実施例の抜歯用具３を虫歯の根管にねじ込むに当たっては、ハンドル部３１の形状や掛止部３２や掛止孔３３が滑り止め部としての役割を担い、また虫歯を引き抜くに当たっては、ハンドル部３１を指で摘むようにしたり、前記掛止部３２や掛止孔３３に鉗子等を掛けて用いることが出来る。
【実施例４】
【００２７】  さて本実施形態の抜歯用具４を図４で表すが、このものは周囲に滑り止めの凸部４２が形成されたハンドル部４１と、歯内にねじ込むためのネジ部４０とを、図示しない軸部で接続して成るものであるが、ハンドル部４１の頂上部分に溝部４３が形成されている点に特徴を有する。上記滑り止めの凸部４２は、梵鐘にある乳のような丸いたくさんの凸部から成る。なお溝部４３を除くハンドル部４１の頂上部分には緩衝部としてのシリコンゴム製のゴムキャップ４４が設けられており、口腔の内壁等に当るようなことがあってもより安心である。そして前記溝部４３にはドライバーの先端部分やハンドピース等のチャックが適合する。【００２８】  本実施例の抜歯用具４を虫歯の根管にねじ込むに当っては、前記溝部４３にドライバーの先端部分やハンドピース等のチャックを掛けるようにするのである。これによって抜歯用具４の根管へのねじ込みがより容易に行い得る。
【其の他の実施例】
【００２９】  なお本考案の抜歯用具は、太さや長さの異なるものを幾つかセットで用意しておくことが望ましい。ハンドル部やネジ部の構成も任意であり、例えばネジ部はテーパーを形成せずに円筒形状の周囲に螺刻し先端部を尖設して成るものであっても良い。またハンドル部の滑り止め部の一例として、ハンドル部の周囲に設けた、表面に靴底やタイヤに見られるような凹凸模様のあるゴム被覆を上げることが出来る。またネジ部にピッチの異なる２種類のネジが、ピッチの短い方を先端側として螺刻されたものとすることが出来る。先端側のピッチの方を小さくしたのは、ネジ部を虫歯の根管にねじ込むに当り、歯への取り掛かりを良くして、ねじ込みの作業を安定させるための工夫である。
【産業上の利用可能性】
【００３０】  本考案の抜歯用具は、歯科医師の指先だけでも使用し得るものであるため、この使用法によれば子供を安心させながら安全且つ容易に抜歯を行うことが出来る。従って本考案の抜歯用具をペット用のものとして提供することも可能である。
【符号の説明】
【００３１】１    抜歯用具            １０  ネジ部            １１  ハンドル部
１２  凸条部              １３  軸部              １４  段部
２    抜歯用具            ２０  ネジ部            ２１  ハンドル部
２２  軸部                ２３  段部              ２４  棒状体
３    抜歯用具            ３０  ネジ部            ３１  ハンドル部
３２  掛止部              ３３  掛止孔
４    抜歯用具            ４０  ネジ部            ４１  ハンドル部
４２  凸部                ４３  溝部
５    ゴムキャップ
【図１】
0003202678.tif 000003
【図２】
0003202678.tif 000004
【図３】
0003202678.tif 000005
【図４】
0003202678.tif 000006